(57)【要約】【課題】きめ細かい省電力動作を可能とする映像処理装置を提供すること。【解決手段】実施形態に係る映像処理装置は、外部からの入力を受付けるインタフェースと、当該入力の有無を監視する操作監視部と、当該入力がなくなってからの経過時間を計測する無入力時間計測部とを備えている。そして、当該入力がなくなった後に自ら動作を開始するイベントを検出するイベント検出部と、当該経過時間および当該イベントの検出結果に基づいて電源供給を制御する電源制御部とを備えている。なお、電源制御部は、経過時間が所定の閾値を超え、かつイベントが終了した後に電源供給を停止するように構成してもよい。【選択図】図１
2012029074.tif 000002
【特許請求の範囲】
【請求項１】
外部からの入力を受付けるインタフェースと、
前記入力の有無を監視する入力監視部と、
前記入力がなくなってからの経過時間を計測する無入力時間計測部と、
前記入力がなくなった後に自ら動作を開始するイベントを検出するイベント検出部と、
前記経過時間および前記イベントの検出結果に基づいて電源供給を制御する電源制御部と
を具備したことを特徴とする映像処理装置。
【請求項２】
前記電源制御部は、前記経過時間が所定の閾値を超え、かつ前記イベントが終了した後に前記電源供給を停止することを特徴とする請求項１記載の映像処理装置。
【請求項３】
前記イベント検出部が前記イベントの開始を検出した場合に前記無入力時間計測部による前記経過時間の計測を中断させ、
前記イベント検出部が前記イベントの終了を検出した場合に前記無入力時間計測部による前記経過時間の計測を前記中断時における前記経過時間から再開させる計測制御部
をさらに備えたことを特徴とする請求項２記載の映像処理装置。
【請求項４】
前記イベントは、予め設定された予約内容に基づいて映像を記録する予約録画処理であることを特徴とする請求項２または３記載の映像処理装置。
【請求項５】
前記イベントは、映像を再生する映像再生処理であることを特徴とする請求項２または３記載の映像処理装置。
【請求項６】
前記インタフェースは、ユーザの指示を受付ける入力インタフェースであることを特徴とする請求項１記載の映像処理装置。
【請求項７】
前記イベント検出部は、前記イベントの種類をさらに検出し、
前記計測制御部は、前記イベントの種類に応じて、前記経過時間の計測の中断を実行するよう制御すること
を特徴とする請求項３記載の映像処理装置。
【請求項８】
外部からの入力を受付けるインタフェースを監視し、
前記インタフェースへの前記入力がなくなってからの経過時間を計測し、
前記インタフェースへの前記入力がなくなった後に自ら動作を開始するイベントを検出し、
前記経過時間および前記イベントの検出結果に基づいて電源供給を制御すること
を特徴とする映像処理方法。
【発明の詳細な説明】
【技術分野】
【０００１】
本発明の実施形態は、省電力機能を有する映像処理装置、映像処理方法に関する。
【背景技術】
【０００２】
省エネルギーに関する意識の高まりを受けて、テレビなどの映像処理装置では、ユーザの使用状況に応じて自動的に電源をオフとするような省電力機能を搭載している。テレビを例に取ると、一定時間ユーザが何も操作をしない場合に自動的に電源をオフとする機能が知られている。
【０００３】
一方、録画機能を有する映像処理装置などは、ユーザによる予約設定に応じて自動的に録画を開始するから、ユーザの使用状況に基づいて電源供給を停止することが困難であり、きめ細かい省電力制御ができなかった。
【先行技術文献】
【特許文献】
【０００４】
【特許文献１】特開２００９−６０２０６号公報
【発明の概要】
【発明が解決しようとする課題】
【０００５】
このように、従来の映像処理装置、映像処理方法では、きめ細かい省電力制御ができないという問題がある。本発明の実施形態はかかる課題を解決するためのもので、きめ細かい省電力制御を可能とする映像処理装置を提供することを目的としている。
【課題を解決するための手段】
【０００６】
上記した目的を達成するため、実施形態に係る映像処理装置は、外部からの入力を受付けるインタフェースと、当該入力の有無を監視する操作監視部と、当該入力がなくなってからの経過時間を計測する無入力時間計測部とを備えている。そして、当該入力がなくなった後に自ら動作を開始するイベントを検出するイベント検出部と、当該経過時間および当該イベントの検出結果に基づいて電源供給を制御する電源制御部とを備えている。なお、電源制御部は、経過時間が所定の閾値を超え、かつイベントが終了した後に電源供給を停止するように構成してもよい。
【図面の簡単な説明】
【０００７】
【図１】実施形態に係る映像処理装置の構成を示すブロック図である。
【図２】実施形態に係る映像処理装置の構成を詳細に示すブロック図である。
【図３】実施形態に係る映像処理装置の動作例を示すフローチャートである。
【図４】図３に示す動作例におけるカウンタの動作を説明する概念図である。
【図５】実施形態に係る映像処理装置の他の動作例を示すフローチャートである。
【図６】図５に示す動作例におけるカウンタの動作を説明する概念図である。
【図７】実施形態に係る映像処理装置の他の動作例を示すフローチャートである。
【発明を実施するための形態】
【０００８】
（第１の実施形態）以下、図面を参照して実施の形態を詳細に説明する。図１に示すように、第１の実施形態に係る映像処理装置としてのテレビジョン受信装置１０は、例えば録画機能を有するデジタルテレビジョン受信装置である。このテレビジョン受信装置１０は、アンテナ１１、チューナ１２、逆多重化モジュール１３、記憶制御モジュール１４ａ、記憶装置１４ｂ、ビデオデコーダ１５、オーディオデコーダ１６、再生処理モジュール１７、画像処理モジュール１８、フレームメモリ１９、音声処理モジュール２０、液晶ディスプレイなどデジタル映像信号を表示可能な表示デバイス２１、およびＤ／Ａ変換機能を有しデジタル音声信号を出力可能なスピーカ２２を備えている。
【０００９】
さらに、このテレビジョン受信装置１０は、スイッチやタッチパネルなどユーザが情報を入力可能な入力インタフェース（入力ＩＦ）２３、リモコン２４ｂからの指示信号を受ける光センサ２４ａ、ネットワーク２５ｂと接続可能なネットワークインタフェース（ＮＷＩＦ）２５ａ、ディスク再生装置などの外部機器２６ｂと接続可能なオーディオビジュアルインタフェース（ＡＶＩＦ）２６ａ、録画や再生など各種処理を制御する処理コントローラ２７、このテレビジョン受信装置１０の各部への電源供給を制御する電源コントローラ２８、ＥＰＧなど各種設定情報が格納される設定テーブル２９などを備えている。
【００１０】
チューナ１２は、アンテナ１１から取り込まれる、例えばデジタル放送波から所望の放送波（放送局）を選局する。なお放送波は、アンテナから取り込まれるものに限らず、ケーブルテレビ局などからケーブルを介して取り込まれるものであってもよい。
【００１１】
逆多重化モジュール１３は、放送波に多重化されていた映像信号、音声信号をそれぞれ分離して、ビデオデコーダ１５およびオーディオデコーダ１６へそれぞれ出力する。再生処理モジュール１７は、ビデオデコーダ１５およびオーディオデコーダ１６を制御し、逆多重化モジュール１３にて分離されたコンテンツを再生（デコード）する。
【００１２】
ビデオデコーダ１５は、逆多重化モジュール１３で分離された映像信号を復号し、復号したデジタル映像信号を画像処理モジュール１８へ出力する。一方、オーディオデコーダ１６は、逆多重化モジュール１３で分離された音声信号を復号し、復号したデジタル音声信号を音声処理モジュール２０へ出力する。画像処理モジュール１８および音声処理モジュール２０は、復号されたデジタル映像信号およびデジタル音声信号に対して所定の画像処理や音声処理を行い、当該処理後の映像信号および音声信号を表示デバイス２１およびスピーカ２２それぞれに出力する。
【００１３】
記憶装置１４ｂは、例えばハードディスクドライブ装置や、記録型の光ディスクに書き込み可能な光ディスクドライブ装置などであり、記憶装置１４ｂを制御する記憶制御モジュール１４ａを介して、ビデオデコーダ１５およびオーディオデコーダ１６によりデコードされる前の受信した放送番組などのコンテンツを保存しておくことができる。また、記憶装置１４ｂは、ＡＶＩＦ２６ａを介して外部機器２６ｂから送られる映像信号や音声信号を、記憶制御モジュール１４ａを介して保存することもできる。なお、記憶装置１４ｂは、ＤＶＤ（登録商標）レコーダや外付けＨＤＤなどの外部記憶装置であってもよいし、内蔵ＨＤＤやフラッシュメモリなどの内部記憶装置であってもよい。
【００１４】
入力ＩＦ２３は、例えば筐体に配置されたスイッチやタッチパネルなど、ユーザの指示を受け付けて指示信号に変換するインタフェースである。光センサ２４ａは、例えばフォトダイオードやフォトトランジスタなどの光検出素子を有しており、リモコン２４ｂから送られるユーザの指示信号を受取って処理コントローラ２７へ送る機能を有している。
【００１５】
ＮＷＩＦ２５ａは、例えばインターネットなどのネットワーク２５ｂと接続可能な入出力インタフェースである。ＮＷＩＦ２５ａは、ネットワーク２５ｂからＥＰＧ情報をダウンロードしたり、テレビジョン受信装置１０を構成する各種プログラムをダウンロードしたりする機能を有している。
【００１６】
ＡＶＩＦ２６ａは、例えばＨＤＭＩ（High-Definition Multimedia Interface：登録商標）などの信号入出力インタフェースである。ＡＶＩＦ２６ａは、例えばディスク再生装置のような外部機器２６ｂとの間で各種信号を送受信する。特に、ＡＶＩＦ２６ａは、外部機器２６ｂの接続状況、選択状況、コンテンツに関する情報などを随時送受信することができる。ＡＶＩＦ２６ａは、デジタル映像信号、デジタル音声信号および制御信号などを受信し、デジタル映像信号およびデジタル音声信号を画像処理モジュール１８および音声処理モジュール２０に送るとともに、制御信号を処理コントローラ２７に送る。
【００１７】
処理コントローラ２７は、このテレビジョン受信装置１０の再生処理や録画処理などの実行を制御する。電源コントローラ２８は、このテレビジョン受信装置１０の各機能要素への電源供給を制御する。設定テーブル２９は、ＥＰＧなどの設定情報を記憶する記憶装置であり、例えばフラッシュＲＯＭなどにより実現される。設定テーブル２９は、記憶装置１４ｂ上に構築されてもよい。
【００１８】
次に、図２を参照して、この実施形態のテレビジョン受信装置１０の処理コントローラ２７および電源コントローラ２８における機能構成について詳細に説明する。
【００１９】
図２に示すように、この実施形態の処理コントローラ２７は、再生コントローラ２７１、録画コントローラ２７２、ＥＰＧコントローラ２７３、アップデートコントローラ２７４を備えている。
【００２０】
再生コントローラ２７１は、再生処理モジュール１７、画像処理モジュール１８および音声処理モジュール２０を制御して、チューナ１２により受信した放送波のコンテンツや、記憶装置１４ｂに記憶されたコンテンツ、ＮＷＩＦ２５ａを介してネットワーク２５ｂから送られるコンテンツ、さらにはＡＶＩＦ２６ａを介して外部機器２６ｂから送られるコンテンツを再生する。再生コントローラ２７１は、入力ＩＦ２３やリモコン２４ｂを介して受け付けたユーザの指示信号に基づいて、各種コンテンツを表示デバイス２１およびスピーカ２２に出力する。再生コントローラ２７１は、設定テーブル２９に格納されたＥＰＧ情報を用いて、予約再生などを実現する機能をも有している。予約再生は、予め設定したコンテンツを所定の時刻に再生させる機能である。
【００２１】
録画コントローラ２７２は、記憶制御モジュール１４ａを制御して、チューナ１２により受信した放送波のコンテンツや、ＮＷＩＦ２５ａを介してネットワーク２５ｂから送られるコンテンツ、さらにはＡＶＩＦ２６ａを介して外部機器２６ｂから送られるコンテンツを記憶装置１４ｂに記憶させる。録画コントローラ２７２は、入力ＩＦ２３やリモコン２４ｂを介して受け付けたユーザの指示信号に基づいて、各種コンテンツを記憶装置１４ｂに記録する。さらに、録画コントローラ２７２は、設定テーブル２９に格納されたＥＰＧ情報を用いて、予約録画などを実現する機能をも有している。予約録画は、予め設定したコンテンツを所定の時刻に記録する機能である。
【００２２】
ＥＰＧコントローラ２７３は、電子番組表（ＥＰＧ：Electronic Program Guide）を管理する。ＥＰＧコントローラ２７３は、ネットワーク２５ｂなどからＥＰＧ情報をダウンロードして設定テーブル２９に格納する。また、ＥＰＧコントローラ２７３は、設定テーブル２９に格納したＥＰＧ情報を録画コントローラ２７２に提供する。
【００２３】
アップデートコントローラ２７４は、このテレビジョン受信装置１０の各機能要素を実現するプログラムを管理する。アップデートコントローラ２７４は、ネットワーク２５ｂを介して当該プログラムのアップデートプログラムをダウンロードし、インストールする機能を有している。
【００２４】
また、図２に示すように、この実施形態の電源コントローラ２８は、インタフェース監視モジュール２８１、動作監視モジュール２８２、省電力判定モジュール２８３、カウンタ２８４、電源制御モジュール２８５、および定義テーブル２８６を備えている。
【００２５】
インタフェース監視モジュール２８１は、入力ＩＦ２３、光センサ２４ａ、ＮＷＩＦ２５ａ、ＡＶＩＦ２６ａなど、テレビジョン受信装置１０と外部とをつなぐインタフェースの動作を監視する。インタフェース監視モジュール２８１は、例えば、各インタフェースへの入力の有無、動作状態、接続相手などを検出することができる。
【００２６】
動作監視モジュール２８２は、再生コントローラ２７１、録画コントローラ２７２、ＥＰＧコントローラ２７３、およびアップデートコントローラ２７４など、テレビジョン受信装置１０自体の処理動作を監視する。動作監視モジュール２８２は、例えば、テレビジョン受信装置１０がコンテンツの再生を行っているのか、あるいは録画を行っているのか、さらには外部からファイルのダウンロード動作を行っているのか等について監視することができる。
【００２７】
再生コントローラ２７１、録画コントローラ２７２、ＥＰＧコントローラ２７３およびアップデートコントローラ２７４は、ユーザからの直接的指示がなくとも処理を実行できる。例えば、再生コントローラ２７１による予約再生、録画コントローラ２７２による予約録画、ＥＰＧコントローラ２７３によるＥＰＧ情報の更新、アップデートコントローラ２７４によるプログラムの更新などは、予めタイミングを設定しておけば、各々の処理の際にユーザの指示信号は不要である。しかし、これらの処理（イベント）が実行されている間は、電源供給を停止することができない。動作監視モジュール２８２は、こうしたイベントの発生と停止を監視するものである。
【００２８】
省電力判定モジュール２８３は、カウンタ２８４と協働し、インタフェース監視モジュール２８１および動作監視モジュール２８２による監視結果を用いて、省電力動作をすべきか否かを判定する。カウンタ２８４は、省電力判定モジュール２８３からの指示に基づき所定時間ごとに数値をカウントする演算器である。カウンタ２８４は、カウント値を更新することで、経過時間を計測する作用をする。
【００２９】
電源制御モジュール２８５は、省電力判定モジュール２８３の判定結果に基づいて、テレビジョン受信装置１０の主電源を制御する。電源制御モジュール２８５は、テレビジョン受信装置１０の主電源を停止してもよいし、消費電力を低減させるよう各機能要素を制御することで実質的に主電源を停止するものであってもよい。定義テーブル２８６は、省電力判定モジュール２８３が判定に用いる閾値データなどが格納されるメモリである。
【００３０】
（第１の実施形態の動作）続いて、図１および図２を参照して、この実施形態のテレビジョン受信装置全体の動作を説明する。
【００３１】
アンテナ１１で受信されたテレビジョン放送波は、チューナ１２に送られる。チューナ１２は、アンテナ１１から送られたデジタル放送波から所定の放送波を選局し、得られたデジタル放送ストリームを逆多重化モジュール１３に送る。逆多重化モジュール１３は、デジタル放送波に多重化されていたデジタル映像信号およびデジタル音声信号を分離してビデオデコーダ１５およびオーディオデコーダ１６へ送る。
【００３２】
ビデオデコーダ１５は、デジタル映像信号をデコードして画像処理モジュール１８に送り、画像処理モジュール１８は、デコードされたデジタル映像信号を画像処理する。表示デバイス２１は、画像処理モジュール１８が処理したデジタル映像信号を映像として表示する。一方、オーディオデコーダ１６は、デジタル音声信号をデコードして音声処理モジュール２０に送り、音声処理モジュール２０は、デコードされたデジタル音声信号を音声処理する。スピーカ２２は、音声処理モジュール２０が処理したデジタル音声信号をＤ／Ａ変換して音声として出力する。
【００３３】
次に、図１ないし図４を参照して、この実施形態のテレビジョン受信装置における省電力制御の動作について説明する。
【００３４】
インタフェース監視モジュール２８１は、入力ＩＦ２３、光センサ２４ａ、ＮＷＩＦ２５ａ、およびＡＶＩＦ２６ａを監視している（ステップ３０１。以下「Ｓ３０１」のように称する。）。これらインタフェース群は、外部からユーザ等の意志により入力を受付ける性質のものであるから、これらを監視することで、このテレビジョン受信装置１０に対するユーザの操作の有無を検出することができる。
【００３５】
監視の結果入力がある場合（Ｓ３０１のＹｅｓ）、すなわち、ユーザから入力ＩＦ２３への入力、ＮＷＩＦ２５ａやＡＶＩＦ２６ａへの入力などが検出された場合、省電力制御を行わず、インタフェース監視モジュール２８１は監視を続行する。
【００３６】
監視の結果入力がない場合（Ｓ３０１のＮｏ）、すなわち、ユーザから入力ＩＦ２３への入力、ＮＷＩＦ２５ａやＡＶＩＦ２６ａへの入力が検出されない場合、カウンタ２８４は、定義テーブル２８６に設けられたカウント値の記憶領域を初期化する（Ｓ３０２）。これは、インタフェース群への入力がなくなってからの経過時間を計測するためであり、これ以後のカウント値は当該経過時間と対応することになる。カウント値の初期化およびカウント開始は、図４のａ１の時点に相当する。
【００３７】
続いて、省電力判定モジュール２８３は、定義テーブル２８６に記憶された、カウンタ２８４のカウント値および所定の閾値を比較する（Ｓ３０３）。省電力判定モジュール２８３は、カウンタ２８４によるカウントが所定数まで達した場合、ユーザが一定時間何も操作や入力を行わなかったものと判定する。
【００３８】
比較の結果、カウント値が閾値を超えている場合（Ｓ３０３のＹｅｓ）、省電力判定モジュール２８３は、一定時間インタフェース群への入力がないと判定し、電源制御モジュール２８５に判定結果を送る。電源制御モジュール２８５は、判定結果を受けて、テレビジョン受信装置１０の各機能要素への電源供給を停止する（Ｓ３０４）。
【００３９】
比較の結果、カウント値が閾値を超えていない場合（Ｓ３０３のＮｏ）、省電力判定モジュール２８３は、ユーザが操作や入力をしなくなってから十分に時間が経っていないものと判定し、インタフェース監視モジュール２８１に判定結果を送る。インタフェース監視モジュール２８１は、入力ＩＦ２３、光センサ２４ａ、ＮＷＩＦ２５ａ、およびＡＶＩＦ２６ａへの入力がなされていないか確認する（Ｓ３０５）。
【００４０】
入力があった場合（Ｓ３０５のＹｅｓ）、インタフェース監視モジュール２８１は、入力ＩＦ２３、光センサ２４ａ、ＮＷＩＦ２５ａ、およびＡＶＩＦ２６ａの監視を再開する（Ｓ３０１）。すなわち、インタフェース群への無入力状態の経過時間の計測をやり直す。
【００４１】
インタフェース群への入力が依然としてない場合（Ｓ３０５のＮｏ）、インタフェース監視モジュール２８１は、動作監視モジュール２８２に入力がない旨確認結果を送る。動作監視モジュール２８２は、再生コントローラ２７１による再生処理、録画コントローラ２７２による録画処理、ＥＰＧコントローラ２７３によるＥＰＧ情報の更新処理、およびアップデートコントローラ２７４によるプログラムの更新処理などが実行中であるか否か、すなわち、自ら起動可能なこれらのイベントが実行中であるか否かを判定する（Ｓ３０６）。これらの処理（イベント）は、ユーザが直接開始指示を行わなくても自動起動が可能であり、イベント実行中は電源供給を維持する必要があるからである。
【００４２】
イベントが実行中でない場合（Ｓ３０６のＮｏ）、カウンタ２８４は、定義テーブル２８６に記憶されたカウント値を所定数（例えば「１」）増加させる（Ｓ３０７）。すなわち、カウンタ２８４は、ユーザに起因する操作や入力がない状態が一定時間経過したことをカウント値として定義テーブル２８６に記録する。カウント値が更新されると、省電力判定モジュール２８３は、カウンタ２８４のカウント値と予め設定された閾値とを比較する（Ｓ３０３）。以後、インタフェース群に何も入力がなく、イベントが何も実行されない場合は、Ｓ３０３・Ｓ３０５・Ｓ３０６・Ｓ３０７の処理を繰り返す。すなわち、カウンタ２８４は所定数ずつカウント値を増加させる。これは、図４のａ１からｂ１の期間に相当する。
【００４３】
何らかのイベントが実行中であることが検出された場合（Ｓ３０６のＹｅｓ）、動作監視モジュール２８２は、検出した実行中のイベントが終了したか否かを判定する（Ｓ３０８）。イベントが依然として実行中の場合（Ｓ３０８のＮｏ）、動作監視モジュール２８２は、判定結果をインタフェース監視モジュール２８１に送る。以後、インタフェース群に何も入力がなく、何らかのイベントが実行中である場合は、Ｓ３０５・Ｓ３０６・Ｓ３０８の処理を繰り返す。すなわち、カウンタ２８４は、カウント値の更新を行わず、インタフェース群への入力やイベントの監視のみを繰り返す。これは、イベント実行中はイベントの処理を優先させ、ユーザに起因する操作や入力がない状態の経過時間の計測を停止することを意味する。すなわち、図４のｂ１からｃ１の期間に相当する。図４に示すように、イベント実行中であるｂ１からｃ１の間、カウント値の更新が停止されている。
【００４４】
実行中であったイベントが終了した場合（Ｓ３０８のＹｅｓ）、カウンタ２８４は、カウント値を所定数増加させる（Ｓ３０９）。すなわち、ユーザに起因する操作や入力がない状態の経過時間の計測を、当該計測の停止時の状態から再開する。これは図４のｃ１の時点に相当する。図４に示すように、更新が中断したカウント値が中断した時点での値から、カウントが再開している。
【００４５】
カウント値の更新が再開すると、省電力判定モジュール２８３は、カウンタ２８４のカウント値と予め設定された閾値とを比較する（Ｓ３０３）。以後、カウント値が所定の閾値に達して電源がオフとなるか、インタフェース群に何らかの入力がなされるまで、処理が続行する。すなわち、図４のｃ１からｄ１の期間に相当し、カウント値が閾値を超えるまでカウンタ２８４によるカウントが継続される。
【００４６】
この実施形態の映像処理装置によれば、インタフェース群への無入力状態の経過時間を計測し、所定の値に達した場合に電源供給が停止される。また、インタフェース群への無入力状態が継続している間に、予約録画やＥＰＧ情報のダウンロードなど何らかのイベントが発生した場合、インタフェース群への無入力状態の経過時間の計測を中断する。すなわち、電源供給の必要なイベント実行中を除いたユーザによる操作や入力がない状態の継続時間を正確に計測することができる。これは、精度が高くきめ細かい省電力制御を可能にするものである。
【００４７】
（第２の実施形態）次に、図１、図２、図５および図６を参照して第２の実施形態に係る映像処理装置について詳細に説明する。第２の実施形態に係る映像処理装置は、第１の実施形態に係る映像処理装置の動作を変更したものであり、第１の実施形態と共通の機能構成を有している。以下の説明では、共通する機能構成や動作について共通の符号を付して示し、重複する説明を省略する。
【００４８】
図４に示すように、第１の実施形態の映像処理装置は、インタフェース群への無入力状態の経過時間の計測を、イベント実行中は中断させている。すなわち、インタフェース群への無入力状態が始まった後イベントが発生し、その後イベントが終了すると、イベント発生時（経過時間の計測中断時）におけるカウンタ２８４のカウント値からカウント値の更新が再開する。第２の実施形態では、インタフェース群への無入力状態が始まった後イベントが発生しても、カウント値の更新を中断しない。すなわち、カウンタ２８４によるカウントは続行される。一方で、イベント実行中は、カウント値が所定の閾値を超えた場合でも電源制御を行わず、電源供給を継続する。そして、イベントが終了したとき、すなわち、カウント値が所定の閾値を超え、かつ、イベントが終了したとき、電源の供給を制御するように動作する。
【００４９】
（第２の実施形態の動作）続いて、第２の実施形態に係るテレビジョン受信装置の省電力制御の動作を説明する。
【００５０】
インタフェース監視モジュール２８１は、入力ＩＦ２３、光センサ２４ａ、ＮＷＩＦ２５ａ、およびＡＶＩＦ２６ａを監視している（Ｓ３０１）。監視の結果入力がある場合（Ｓ３０１のＹｅｓ）、すなわち、ユーザから入力ＩＦ２３への入力、ＮＷＩＦ２５ａやＡＶＩＦ２６ａへの入力などが検出された場合、省電力制御を行わず、インタフェース監視モジュール２８１は監視を続行する。
【００５１】
監視の結果入力がない場合（Ｓ３０１のＮｏ）、すなわち、ユーザから入力ＩＦ２３への入力、ＮＷＩＦ２５ａやＡＶＩＦ２６ａへの入力が検出されない場合、カウンタ２８４は、定義テーブル２８６に設けられたカウント値の記憶領域を初期化する（Ｓ３０２）。カウント値の初期化およびカウントの開始は、図６のａ２の時点に相当する。
【００５２】
続いて、省電力判定モジュール２８３は、定義テーブル２８６に記憶された、カウンタ２８４のカウント値および所定の閾値を比較する（Ｓ３０３）。比較の結果、カウント値が閾値を超えている場合（Ｓ３０３のＹｅｓ）、省電力判定モジュール２８３は、一定時間インタフェース群への入力がないと判定し、電源制御モジュール２８５に判定結果を送る。電源制御モジュール２８５は、判定結果を受けて、テレビジョン受信装置１０の各機能要素への電源供給を停止する（Ｓ３０４）。
【００５３】
比較の結果、カウント値が閾値を超えていない場合（Ｓ３０３のＮｏ）、省電力判定モジュール２８３は、ユーザが操作や入力をしなくなってから十分に時間が経っていないものと判定し、インタフェース監視モジュール２８１に判定結果を送る。インタフェース監視モジュール２８１は、入力ＩＦ２３、光センサ２４ａ、ＮＷＩＦ２５ａ、およびＡＶＩＦ２６ａへの入力がなされていないか確認する（Ｓ３０５）。
【００５４】
入力があった場合（Ｓ３０５のＹｅｓ）、インタフェース監視モジュール２８１は、入力ＩＦ２３、光センサ２４ａ、ＮＷＩＦ２５ａ、およびＡＶＩＦ２６ａの監視を再開する（Ｓ３０１）。すなわち、インタフェース群への無入力状態の経過時間の計測をやり直す。
【００５５】
インタフェース群への入力が依然としてない場合（Ｓ３０５のＮｏ）、インタフェース監視モジュール２８１は、動作監視モジュール２８２に入力がない旨確認結果を送る。動作監視モジュール２８２は、再生コントローラ２７１による再生処理、録画コントローラ２７２による録画処理、ＥＰＧコントローラ２７３によるＥＰＧ情報の更新処理、およびアップデートコントローラ２７４によるプログラムの更新処理などが実行中であるか否か、すなわち、自ら起動可能なこれらのイベントが実行中であるか否かを判定する（Ｓ３０６）。
【００５６】
イベントが実行中でない場合（Ｓ３０６のＮｏ）、カウンタ２８４は、定義テーブル２８６に格納されたカウント値を所定数増加させる（Ｓ３０７）。カウント値が更新されると、省電力判定モジュール２８３は、カウンタ２８４のカウント値と予め設定された閾値とを比較する（Ｓ３０３）。以後、インタフェース群に何も入力がなく、イベントが何も実行されない場合は、Ｓ３０３・Ｓ３０５・Ｓ３０６・Ｓ３０７の処理を繰り返す。これは、図６のａ２からｂ２の期間に相当する。
【００５７】
何らかのイベントが実行中であることが検出された場合（Ｓ３０６のＹｅｓ）、動作監視モジュール２８２は、検出した実行中のイベントが終了したか否かを判定する（Ｓ４０８）。
【００５８】
イベントが依然として実行中の場合（Ｓ４０８のＮｏ）、カウンタ２８４は、カウント値を所定数増加させる（Ｓ４０９）。カウント値が更新されると、インタフェース監視モジュール２８１は、入力ＩＦ２３、光センサ２４ａ、ＮＷＩＦ２５ａ、およびＡＶＩＦ２６ａへの入力がなされていないか確認する（Ｓ３０５）。以後、インタフェース群に何も入力がなく、何らかのイベントが実行中である場合は、Ｓ３０５・Ｓ３０６・Ｓ４０８・Ｓ４０９の処理を繰り返す。すなわち、カウンタ２８４によるカウント値の更新をそのまま続行し、インタフェース群への入力やイベントの監視を繰り返すが、カウント値と所定の閾値との比較を行わない。これは、インタフェース群への無入力状態の間にイベントが発生しても、無入力状態の経過時間の計測を中断しないことを意味する。すなわち、図６のｂ２からｃ２の期間に相当する。
【００５９】
実行中であったイベントが終了した場合（Ｓ４０８のＹｅｓ）、省電力判定モジュール２８３は、定義テーブル２８６に記憶された、カウンタ２８４のカウント値および予め設定された閾値を比較する（Ｓ３０３）。比較の結果、カウント値が閾値を超えている場合（Ｓ３０３のＹｅｓ）、省電力判定モジュール２８３は、一定時間インタフェース群への入力がないと判定し、電源制御モジュール２８５に判定結果を送る。電源制御モジュール２８５は、判定結果を受けて、テレビジョン受信装置１０の各機能要素への電源供給を停止する（Ｓ３０４）。すなわち、イベントが終了した時点で、既にカウント値が所定の閾値を超えている場合、電源制御モジュール２８５は、当該イベント終了後に電源供給を停止する。これは、図６のｃ２およびｄ２の時点に相当する。
【００６０】
比較の結果、カウント値が閾値を超えていない場合（Ｓ３０３のＮｏ）、省電力判定モジュール２８３は、ユーザが操作や入力をしなくなってから十分に時間が経っていないものと判定し、ステップ３０５以降の処理を継続する。
【００６１】
この実施形態の映像処理装置によれば、インタフェース群への無入力状態の経過時間を計測し、所定の値に達した場合に電源供給が停止される。また、インタフェース群への無入力状態が継続している間に、予約録画やＥＰＧ情報のダウンロードなど何らかのイベントが発生した場合、インタフェース群への無入力状態の経過時間の計測を続行し、その後イベントが終了した時点で当該経過時間が所定の値に達したかを判定する。すなわち、電源供給の必要なイベント実行を実現しつつ、ユーザによる操作や入力がない状態の継続時間を正確に計測し、かつ当該継続時間を最小限とすることができる。これは、精度が高くきめ細かい省電力制御を可能にするものである。
【００６２】
（第３の実施形態）次に、図１、図２および図７を参照して第３の実施形態に係る映像処理装置について詳細に説明する。第３の実施形態に係る映像処理装置は、第１の実施形態と第２の実施形態とを組み合わせたものであり、第１および第２の実施形態と共通の機能構成を有している。以下の説明では、共通する機能構成や動作について共通の符号を付して示し、重複する説明を省略する。
【００６３】
図４に示すように、第１の実施形態に係るテレビジョン受信装置では、イベントの実行により無入力状態の経過時間の計測（カウント）を中断し、イベントの実行が終了した後、無入力状態の経過時間の計測を再開している。すなわち、イベントが終了してから電源供給の停止までの間に時間的余裕が生まれる可能性が相対的に高い。
【００６４】
一方、図６に示すように、第２の実施形態に係るテレビジョン受信装置では、イベントの実行中でも無入力状態の経過時間の計測を継続しているから、イベントの終了時点で既に所定の時間を超えている場合（カウント値が所定の値を超えている場合）、イベントの終了に併せて電源供給も停止する。すなわち、イベントが終了してから電源供給の停止までの間に時間的余裕がない可能性が相対的に高い。
【００６５】
一般に、テレビジョン受信装置が再生処理を行っている場合、ユーザは、そのテレビジョン受信装置の近くにいることが考えられるが、テレビジョン受信装置が録画処理やＥＰＧ情報の更新、プログラムの更新などを行っている場合、ユーザが当該テレビジョン受信装置の近くにいるとは限らない。すなわち、イベントがコンテンツの再生処理の場合、ユーザがテレビジョン受信装置の操作を行う可能性が相対的に高いと考えられるから、イベントが終了した後直ちに電源供給を停止するのは利便性に欠ける。一方、イベントが予約録画処理などの場合、ユーザが自ら操作をしない（ユーザがテレビジョン受信装置の近くにいない）ことを前提に予め設定するものであるから、イベントが終了した後直ちに電源供給を停止する方が消費電力低減の観点から好ましい。
【００６６】
そこで、第３の実施形態に係るテレビジョン受信装置では、イベントの種類に応じて、第１の実施形態に係るカウント処理と第２の実施形態に係るカウント処理とを選択可能としたものである。
【００６７】
（第３の実施形態の動作）続いて、図７を参照して、第３の実施形態に係るテレビジョン受信装置の省電力制御の動作を説明する。図３、図５、図７に示すように、この実施形態の省電力制御の動作のうち、インタフェース監視モジュール２８１による入力の監視から、動作監視モジュール２８２による自ら起動可能なイベントの判定までは、第１および第２の実施形態と共通するから、重複する説明を省略する（Ｓ３０１〜Ｓ３０６）。
【００６８】
図７に示すように、インタフェース群への入力が依然としてない場合（Ｓ３０５のＮｏ）、インタフェース監視モジュール２８１は、動作監視モジュール２８２に入力がない旨確認結果を送る。動作監視モジュール２８２は、再生コントローラ２７１による再生処理、録画コントローラ２７２による録画処理、ＥＰＧコントローラ２７３によるＥＰＧ情報の更新処理、およびアップデートコントローラ２７４によるプログラムの更新処理などが実行中であるか否か、すなわち、自ら起動可能なこれらのイベントが実行中であるか否かを判定する（Ｓ３０６）。
【００６９】
イベントが実行中でない場合（Ｓ３０６のＮｏ）、カウンタ２８４は、定義テーブル２８６に格納されたカウント値を所定数増加させる（Ｓ３０７）。カウント値が更新されると、省電力判定モジュール２８３は、カウンタ２８４のカウント値と予め設定された閾値とを比較する（Ｓ３０３）。以後、インタフェース群に何も入力がなく、イベントが何も実行されない場合は、Ｓ３０３・Ｓ３０５・Ｓ３０６・Ｓ３０７の処理を繰り返す。
【００７０】
何らかのイベントが実行中であることが検出された場合（Ｓ３０６のＹｅｓ）、動作監視モジュール２８２は、実行中のイベントの種類を判定する（Ｓ５０６）。この判定は、例えば、再生コントローラ２７１、録画コントローラ２７２、ＥＰＧコントローラ２７３およびアップデートコントローラ２７４がそれぞれの処理を実行する際に当該処理の実行を示す識別情報を定義テーブル２８６に格納し、動作監視モジュール２８２がその識別情報を読出すことにより実現することができる。
【００７１】
実行中のイベントが再生処理の場合（Ｓ５０６のＹｅｓ）、すなわち、ユーザがテレビジョン受信装置の近くにいる可能性が高い処理である場合、動作監視モジュール２８２は、検出した実行中のイベントが終了したか否かを判定する（Ｓ５０８）。イベントが依然として実行中の場合（Ｓ５０８のＮｏ）、動作監視モジュール２８２は、判定結果をインタフェース監視モジュール２８１に送る。以後、インタフェース群に何も入力がなく、再生処理のイベントが実行中である場合は、Ｓ３０５・Ｓ３０６・Ｓ５０６・Ｓ５０８の処理を繰り返す。すなわち、カウンタ２８４は、カウント値の更新を行わず、インタフェース群への入力やイベントの監視のみを繰り返す。これは、第１の実施形態と同様の動作であり、図４のｂ１からｃ１の期間に相当する。図４に示すように、イベント実行中であるｂ１からｃ１の間、カウント値の更新が停止される。
【００７２】
実行中であったイベントが終了した場合（Ｓ５０８のＹｅｓ）、カウンタ２８４は、カウント値を所定数増加させる（Ｓ５０９）。これは図４のｃ１の時点に相当する。図４に示すように、更新が中断したカウント値が中断した時点での値から、カウントが再開する。
【００７３】
カウント値の更新が再開すると、省電力判定モジュール２８３は、カウンタ２８４のカウント値と予め設定された閾値とを比較する（Ｓ３０３）。以後、カウント値が所定の閾値に達して電源がオフとなるか、インタフェース群に何らかの入力がなされるまで、処理が続行される。すなわち、図４のｃ１からｄ１の期間に相当し、カウント値が閾値を超えるまでカウンタ２８４によるカウントが継続される。すなわち、イベントが終了してもカウント値が閾値を超えるまでは電源供給が維持されるから、ユーザは、テレビジョン受信装置の操作を行う時間的余裕を得ることができる。
【００７４】
一方、実行中のイベントが再生処理ではない場合（Ｓ５０６のＮｏ）、すなわち、予約録画やＥＰＧ情報の更新、プログラムの更新など、ユーザがテレビジョン受信装置の近くにいない可能性が高い処理である場合、動作監視モジュール２８２は、検出した実行中のイベントが終了したか否かを判定する（Ｓ５１８）。
【００７５】
イベントが依然として実行中の場合（Ｓ５１８のＮｏ）、カウンタ２８４は、カウント値を所定数増加させる（Ｓ５１９）。カウント値が更新されると、インタフェース監視モジュール２８１は、入力ＩＦ２３、光センサ２４ａ、ＮＷＩＦ２５ａ、およびＡＶＩＦ２６ａへの入力がなされていないか確認する（Ｓ３０５）。以後、インタフェース群に何も入力がなく、予約録画や各種更新処理などのイベントが実行中である場合は、Ｓ３０５・Ｓ３０６・Ｓ５０６・Ｓ５１８・Ｓ５１９の処理を繰り返す。すなわち、カウンタ２８４によるカウント値の更新をそのまま続行し、インタフェース群への入力やイベントの監視を繰り返すが、カウント値と所定の閾値との比較を行わない。これは、第２の実施形態と同様の動作であり、図６のｂ２からｃ２の期間に相当する。
【００７６】
実行中であったイベントが終了した場合（Ｓ５１８のＹｅｓ）、省電力判定モジュール２８３は、定義テーブル２８６に記憶された、カウンタ２８４のカウント値および予め設定された閾値を比較する（Ｓ３０３）。比較の結果、カウント値が閾値を超えている場合（Ｓ３０３のＹｅｓ）、省電力判定モジュール２８３は、一定時間インタフェース群への入力がないと判定し、電源制御モジュール２８５に判定結果を送る。電源制御モジュール２８５は、判定結果を受けて、テレビジョン受信装置１０の各機能要素への電源供給を停止する（Ｓ３０４）。すなわち、図６のｃ２およびｄ２の時点に相当し、カウント値が閾値を超えていればイベント実行の終了により電源供給が停止される。
【００７７】
比較の結果、カウント値が閾値を超えていない場合（Ｓ３０３のＮｏ）、省電力判定モジュール２８３は、ユーザが操作や入力をしなくなってから十分に時間が経っていないものと判定し、ステップ３０５以降の処理を継続する。
【００７８】
この実施形態の映像処理装置によれば、インタフェース群への無入力状態が開始してから再生処理のイベントが発生した場合、再生処理イベントが終了しても電源供給が継続される可能性が相対的に高くなる。すなわち、ユーザが映像処理装置の操作をする可能性が高い状況下で電源供給が継続するので、ユーザの利便性を高めることができる。一方、この実施形態の映像処理装置によれば、インタフェース群への無入力状態が開始してから予約録画等のイベントが発生した場合、予約録画イベントが終了した後直ちに電源供給が停止される可能性が相対的に高くなる。すなわち、ユーザが映像処理装置の操作をする可能性が高くない状況下において電源供給が速やかに停止されるので、省電力に寄与することができる。
【００７９】
なお、上記実施形態では、映像処理装置がテレビジョン受信装置であるものとして説明したが、これには限定されない。例えばＨＤＤや光学ディスクを記憶媒体としたビデオ再生装置やビデオ録画装置に適用しても同様の効果を得ることができる。また、上記実施形態では、インタフェース群への入力がなくなってからの経過時間をカウンタにより実現しているが、これにも限定されない。カウンタに代えてタイマを備えて経過時間を直接計測してもよい。さらに、上記実施形態では、自ら動作を開始するイベントとして、予約再生、予約録画、ＥＰＧ情報の更新およびプログラムの更新を例示しているが、これにも限定されない。所定のタイミングで自動起動する処理や、ユーザの指示によらず自発的に起動する処理であれば、どのような処理をイベントとしても構わない。
【００８０】
本発明のいくつかの実施形態を説明したが，これらの実施形態は，例として提示したものであり，発明の範囲を限定することは意図していない。これら新規な実施形態は，その他の様々な形態で実施されることが可能であり，発明の要旨を逸脱しない範囲で，種々の省略，置き換え，変更を行うことができる。これら実施形態やその変形は，発明の範囲や要旨に含まれるとともに，特許請求の範囲に記載された発明とその均等の範囲に含まれる。
【符号の説明】
【００８１】
１０…テレビジョン受信装置、１１…アンテナ、１２…チューナ、１３…逆多重化モジュール、１４ａ…記憶制御モジュール、１４ｂ…記憶装置、１５…ビデオデコーダ、１６…オーディオデコーダ、１７…再生処理モジュール、１８…画像処理モジュール、１９…フレームメモリ、２０…音声処理モジュール、２１…表示デバイス、２２…スピーカ、２３…入力インタフェース、２４ａ…光センサ、２４ｂ…リモコン、２５ａ…ネットワークインタフェース、２５ｂ…ネットワーク、２６ａ…オーディオビジュアルインタフェース、２７…処理コントローラ、２８…電源コントローラ、２９…設定テーブル。
【図１】
2012029074.tif 000003
【図２】
2012029074.tif 000004
【図３】
2012029074.tif 000005
【図４】
2012029074.tif 000006
【図５】
2012029074.tif 000007
【図６】
2012029074.tif 000008
【図７】
2012029074.tif 000009